(57)【要約】【課題】それぞれのペットの体型にフィットさせることのできるサイズ調整可能なペット用衣類を提供する。【解決手段】前身頃１と後身頃２とが左右の袖ぐり７の下で分割され、前身頃１の側端部１ａ及び後身頃２の側端部２ａのうちの少なくとも一方が、少なくとも２つ以上に上下に分割されて複数の分割片８、９が形成され、各分割片８、９が他方の側端部１ａ又は２ａまたは分割片に周方向に位置調節可能かつ着脱自在に連結されることにより、袖ぐり寸法及び胴周り寸法を調節可能としたことを特徴とするペット用衣類である。【選択図】図１
2010094054.tif 000002
【特許請求の範囲】
【請求項１】
前身頃と後身頃とが左右の袖ぐりの下で分割され、前身頃の側端部及び後身頃の側端部のうちの少なくとも一方が、少なくとも２つ以上に上下に分割されて複数の分割片が形成され、各分割片が他方の側端部または分割片に周方向に位置調節可能かつ着脱自在に連結されることにより、袖ぐり寸法及び胴周り寸法を調節可能としたことを特徴とするペット用衣類。
【請求項２】
前記分割片が、他方の側端部または分割片に、着丈方向に位置調節可能に連結されたことを特徴とする請求項１に記載のペット用衣類。
【請求項３】
前記分割片と他方の側端部または分割片とが面ファスナーによって連結されたことを特徴とする請求項１又は２に記載のペット用衣類。
【請求項４】
前記分割片は前身頃に形成され、分割片の外面側と後身頃の内面側とが連結されたことを特徴とする請求項１〜３のいずれかに記載のペット用衣類。
【請求項５】
首挿通穴が設けられ、該首挿通穴から下方にかけて切り込みが形成され、その切り込み部分にファスナーが設けられたことを特徴とする請求項１〜４のいずれかに記載のペット用衣類。
【請求項６】
前身頃又は後身頃の下端部に、周方向に伸縮可能なギャザーが設けられたことを特徴とする請求項１〜５のいずれかに記載のペット用衣類。
【請求項７】
前身頃又は後身頃に、着丈を調節可能な着丈調節手段が設けられたことを特徴とする請求項１〜６のいずれかに記載のペット用衣類。
【発明の詳細な説明】
【技術分野】
【０００１】
本発明は、犬や猫等のペットに着用させる衣類であって、サイズ調整により様々な体型に適応することのできるペット用衣類に関する。
【背景技術】
【０００２】
犬や猫等のペットの衣類は、ファッション性だけでなく、保温、抜け毛飛散防止等の機能性の観点から広く普及しており、様々な種類の衣類が販売されている（例えば、特許文献１参照）。
【特許文献１】特開２００５−６５５８９号公報
【発明の開示】
【発明が解決しようとする課題】
【０００３】
ペット用の衣類を選ぶ際は、首まわり、袖まわり、胴まわり等のサイズについて、そのペットに適応したサイズのものを選ばなければならない。
【０００４】
しかしながら、犬用衣類を例にとると、犬種別にサイズの基準はあるが、同じ犬種であってもサイズの個体差は人間のそれに比べて大きい。例えば同じチワワであっても、基準サイズに比べて頭が大きいものや胸が張っているもの、胴が短いものや足が長いものなど様々な犬がおり、調節したいパーツもそれそれで異なってくる。
【０００５】
したがって、各個体にぴったりとフィットする衣類を見つけることは難しく、着心地の悪さから衣類を着たがらない犬も多い。
【０００６】
本発明は、上記課題に鑑み、それぞれのペットの体型にフィットさせることのできるサイズ調整可能なペット用衣類を提供することを目的とする。
【課題を解決するための手段】
【０００７】
上記目的を達成するため、本発明は、前身頃と後身頃とが左右の袖ぐりの下で分割され、前身頃の側端部及び後身頃の側端部のうちの少なくとも一方が、少なくとも２つ以上に上下に分割されて複数の分割片が形成され、各分割片が他方の側端部または分割片に周方向（胴周り方向）に位置調節可能かつ着脱自在に連結されることにより、袖ぐり寸法及び胴周り寸法を調節可能としたことを特徴とするペット用衣類である。
【０００８】
前身頃と後身頃とを袖ぐり（アームホール）の下方で縫製せずに分割し、さらに、袖ぐりの下方に位置する前身頃の側端部又は後身頃の側端部の少なくともいずれか一方を、上下に複数に分割することにより複数の分割片を形成する。その分割片を他方の側端部または分割片に周方向に位置調節可能に連結することにより、上方の分割片で袖ぐり寸法のサイズを調節でき、さらに下方の分割片で胴周り寸法のサイズを調節することができる。
【０００９】
すなわち、上方の分割片を背側に移動させるほど袖ぐりの大きさは小さくなり、反対に腹側に移動させるほど袖ぐりの大きさは大きくなる。また、下方の分割片を背側に移動させるほど胴周りは小さくなり、反対に腹側に移動させるほど胴周りは大きくなる。このように、前身頃又は後身頃の側端部のうちの少なくとも一方を複数に分割することにより、複数のサイズを調節することができる。
【００１０】
さらに、分割片を、他方の側端部または分割片に、着丈方向に位置調節可能に連結するのが好ましい。上方の分割片の先端を前側（頭側）に移動させるほど袖ぐりの大きさは小
さくなり、反対に後ろ（尾側）に移動させるほど袖ぐりの大きさは大きくなる。また、上方の分割片及び下方の分割片の先端を着丈方向に位置調節することにより、胸部や腹部のゆとり具合を調節することができる。
【００１１】
分割片同士、または分割片と前身頃の側端部又は後身頃の側端部とを着脱可能に連結する手段としては、ベルクロ（登録商標）又はマジックテープ（登録商標）などの面ファスナーが好適である。両者の着脱及びサイズ調節が容易である上に、その重ね合わせ位置をずらして変えるだけで周方向及び着丈方向にも位置調節可能となる。なお、着脱手段としてはこれに限定されるものではなく、ボタン、フックアイ、スナップ、ファスナー等の他の手段を用いてもよい。なお、ボタン、フックアイ、スナップ、ファスナーの場合には、それぞれ対となるものの一方を周方向及び／又は着丈方向に間隔をおいて複数個設ける構成とすればよい。
【００１２】
分割片は、前身頃に形成してもよいし、後身頃に形成してもよい。また、前身頃と後身頃の双方に形成してもよく、この場合調整機能が向上する。前身頃に分割片を形成した場合、前身頃の分割片の外面と後身頃の内面とを連結する態様が外観上好ましい。
【００１３】
首挿通穴を設け、首挿通穴から下方にかけて切り込みを形成し、その切り込み部分にファスナーを設けるのが好ましい。ファスナーにより、首挿通穴の大きさを調節可能であるので、様々なサイズのペットに対応できる。また、脱ぎ着が楽である。
【００１４】
また、前身頃又は後身頃の下端部に、周方向に伸縮可能なギャザーを設けるのが好ましい。ギャザーにより胴周りに適度にフィットさせることができる。
【００１５】
さらにまた、前身頃又は後身頃に、着丈を調節可能な着丈調節手段を設けるのが好ましい。着丈方向におけるフィット感が増す。
【発明の効果】
【００１６】
本発明によると、前身頃の側端部又は後身頃の側端部のうち少なくとも一方の側端部を上下に複数に分割して分割片を形成し、その分割片を他方の側端部または分割片に周方向に位置調節可能に連結することにより、上方の分割片で袖ぐり寸法のサイズを調節でき、下方の分割片で胴周り寸法のサイズを調節することができる。このように、前身頃又は後身頃の側端部を複数に分割することにより、複数のサイズを調節することができる。
【発明を実施するための最良の形態】
【００１７】
以下、本発明の実施形態を図面に基づいて説明する。図１はペット用衣類を前身頃側から見た図、図２はペット用衣類の側面図である。なお、本実施形態においては、犬用の衣類について説明するが、猫等のその他のペットに適用してもよいのは勿論である。
【００１８】
図１及び図２に示すように、本ペット用衣類は、犬の腹側を覆う前身頃１と、犬の背側を覆う後身頃２とを備えており、両者が肩部分のみで連結され、その肩連結部３の間にペットの首を通すための首挿通穴４が形成されている。
【００１９】
本ペット用衣類の素材は特に限定されるものではなく、ニット、織布、不織布、合成樹脂地等、一般的に衣類に用いられる種々の素材を使用することができる。また、前身頃１と後身頃２とは互いに別部品として縫合されるが、前身頃１と後身頃２とを互いに同一の生地から一体的に構成してもよい。また、前身頃１と後身頃２とを同一素材としてもよいし、それぞれ異素材から構成してもよい。
【００２０】
前身頃１は、首挿通穴４から下方にかけて一部切り込みが形成され、その切り込み部分
に切り込みを開閉可能なファスナー５が設けられる。ファスナー５により、首挿通穴４の大きさを調節可能であるので、様々なサイズのペットに対応できる。なお、開閉手段としてはファスナー５に限定されるものではなく、面ファスナー、ボタン、スナップ、フックアイ、リボン等の他の手段を用いてもよい。また、前身頃１の下端部には、周方向に伸縮可能にゴムギャザー６が設けられる。このゴムギャザー６によって、胴周りにおけるフィット性を高めることができる。
【００２１】
また、袖ぐり７よりも下方に位置する、前身頃１の左右の側端部１ａは、上分割片８と下分割片９とからなるように二股状に形成される。上分割片８の上縁は袖ぐり７のアームホールの一部を形成する。下分割片９は後身頃２の下端に設けられる。上分割片８と下分割片９との間には間隔があけられる。
【００２２】
上分割片８及び下分割片９の外面側には、面ファスナー１０が設けられる。また、袖ぐり７よりも下方に位置する後身頃２の左右の側端部２ａの内面側にも、対となる面ファスナー１１が設けられる。前身頃１の上分割片８及び下分割片９の面ファスナー１０と、後身頃２の内面の面ファスナー１１とを着脱自在に連結することができる。
【００２３】
上分割片８及び下分割片９の面ファスナー１０は、後身頃２の面ファスナー１１よりも、周方向に長く形成される。上分割片８及び下分割片９と、後身頃２の側端部２ａとの周方向における重ね合わせ量を調節できる。したがって、上分割片８と後身頃２の側端部２ａとの周方向における重ね合わせ量を調節することにより、袖ぐり７のアームホールの大きさを調節することができる。すなわち、上分割片８を背側に移動させるほど袖ぐり７の大きさは小さくなり、反対に腹側に移動させるほど袖ぐり７の大きさは大きくなる。
【００２４】
また、下分割片８と後身頃２の側端部２ａとの重ね合わせ量を調節することにより、胴周りの寸法を調節することができる。すなわち、下分割片９を背側に移動させるほど胴周りは小さくなり、反対に腹側に移動させるほど胴周りは大きくなる。なお、上分割片８及び下分割片９の面ファスナー１０を周方向に長いものとしたが、後身頃２側の面ファスナー１１を周方向に長いものとしてもよい。
【００２５】
さらに、上分割片８及び下分割片９を着丈方向に位置調節可能である。上分割片８を前側（頭側）に移動させるほど袖ぐり７の大きさは小さくなり、反対に後ろ（尾側）に移動させるほど袖ぐり７の大きさは大きくなる。また、上分割片８及び下分割片９の着丈方向の位置を位置調節することにより、胸部や腹部のゆとり具合を調節することができる。なお、上分割片８及び下分割片９の面ファスナー１０を、後身頃２の面ファスナー１１よりも着丈方向に長く形成する構成としたり、その反対に、後身頃２の面ファスナー１１を、分割片８及び下分割片９の面ファスナー１０よりも着丈方向に長く形成する構成としてもよい。
【００２６】
このように、前身頃１の側端部１ａが上分割片８と下分割片９とに間隔をおいて分かれているので、それぞれで後身頃２との重ね合わせ量を調節することができる。すなわち、上分割片８を周方向及び上下の適当な位置に移動させることにより、袖ぐり７の大きさと、胸部及び腹部のゆとりを調節することができる。また、上分割片８とは独立して、下分割片９を周方向及び上下の適当な位置に移動させることにより、胴周りと、胸部及び腹部のゆとりを調節することができる。
【００２７】
後身頃２の背中部分には、着丈を調節可能な着丈調節手段として、紐ギャザー１２が設けられる。紐により後身頃２に皺（ギャザー）を寄せることにより、着丈を調節することができる。例えば、後身頃２の背中部分に逆Ｕ字状の紐挿通路１２ａを設け、この紐挿通路１２ａに紐１２ｂを通す。そして、紐挿通路１２ａから露出している紐１２ｂに対して後身頃２を上方ひ引き上げて皺寄せをし、適当なところでリボン結びするなどして固定す
ればよい。また、着丈調節手段としては紐ギャザー１２に限定されるものではなく、ボタン、フックアイ、スナップ、ファスナー等の他の手段を用いてもよい。すなわち、それぞれ対となるものを着丈方向にずらして設け、これらを結合して後身頃２を折り合わせることにより、後身頃２を着丈方向に縮めることができる。
【００２８】
以上の構成において、着用時には、前身頃１のファスナー５を開き、前身頃１が腹側にくるように首挿通穴４にペットの頭部を通し、首挿通穴４のサイズがちょうど良い大きさとなるところまでファスナー５を閉める。そして、前身頃１の上分割片８と下分割片９を後身頃２の面ファスナーに装着する。このとき、上分割片８の止着位置（周方向又は着丈方向の位置）を調節することにより、袖ぐりの開口の（アームホール）の大きさと、胸部及び腹部のゆとりを調節することができる。また、下分割片９の止着位置を調節することにより、胴周と、胸部及び腹部のゆとりを調節することができる。
【００２９】
このように、前身頃１の側端部１ａが上分割片８と下分割片９とに上下に分割されているので、各分割片８、９をそれぞれ独立して、周方向や、斜め下、斜め上方向に自由に伸ばして、後身頃２の側端部２に固定することができる。したがって、上分割片８と下分割片９のそれぞれで異なる複数のサイズを調節することができ、各ペットのサイズに適合させることができる。
【００３０】
したがって、通常であれば、小型犬につき６〜７サイズの品ぞろえが必要であったが、本発明によると少ないサイズ（例えば３サイズ）で各種サイズの小型犬に適用することができる。また、前身頃１と後身頃２とが袖ぐり７の下で分割されているので、脚を穴に挿通させる必要がなく、脱ぎ着をさせやすい。
【００３１】
なお、上記実施形態においては、袖ぐり７に袖を設けない構成としたが、袖を縫着する構成としてもよい。この場合、たとえば、図３に示すように、肩側にのみスリーブ状に袖１３を設ける構成とすればよい。また、図４に示すようにフード１４を取り付けたり、図５に示すように前身頃１と後身頃２との肩部分をテープや紐１５で連結するようにしてもよい。
【図面の簡単な説明】
【００３２】
【図１】ペット用衣類を前身頃側から見た図
【図２】ペット用衣類の側面図
【図３】他の実施形態のペット用衣類を前身頃側から見た図
【図４】他の実施形態のペット用衣類を前身頃側から見た図
【図５】他の実施形態のペット用衣類を前身頃側から見た図
【符号の説明】
【００３３】
１    前身頃
１ａ  前身頃の側端部
２    後身頃
２ａ  後身頃の側端部
３    肩連結部
４    首挿通孔
５    ファスナー
６    ギャザー
７    袖ぐり
８    上分割片
９    下分割片
１０、１１  面ファスナー
【図１】
2010094054.tif 000003
【図２】
2010094054.tif 000004
【図３】
2010094054.tif 000005
【図４】
2010094054.tif 000006
【図５】
2010094054.tif 000007